(57)【要約】      （修正有）【課題】排水トレーに落ちた水を自動的にシンクに導くと共に、ホースからシンクまでの距離や位置が異なっても、せいぜいホースの長さの調整をするのみで対応可能な排水トレー構造体の部品及び排水トレー構造体を提供する。【解決手段】上に凸の緩やかな球面形状の天面を有する天板部１１と天板部１１の裏面中央から下方に延びる円筒状の第１係合部１２を備えるキャップ部材１と、深さの浅い受け皿状の本体部２１と本体部２１の中央から上方に延びる第１係合部１１と嵌合する円筒状の第２係合部２２と本体部２１の側部に形成される排水口と連続するホース接続部２７とを備える受け皿部材２とを排水トレー４に組み込んでなる排水トレー構造体。【選択図】図２
0003144020.tif 000002
【実用新案登録請求の範囲】
【請求項１】
上に凸の緩やかな球面形状の天面を有する天板部と、該天板部の裏面中央から下方に延びる円筒状の第１係合部を備えるキャップ部材と、
深さの浅い受け皿状の本体部と、該本体部の中央から上方に延びる該第１係合部と嵌合する円筒状の第２係合部と、該本体部の側部に形成される排水口と連続するホース接続部とを備える受け皿部材と、
を有することを特徴とする排水トレー構造体の部品。
【請求項２】
前記第１係合部は、鉛直方向の切り欠きにより、少なくとも２つの係止片を有する構造としたことを特徴とする請求項１記載の排水トレー構造体の部品。
【請求項３】
前記係止片の先端部には、外側に屈曲する係止爪を設けたことを特徴とする請求項１又は２記載の排水トレー構造体の部品。
【請求項４】
前記第２係合部の中空部に前記第１係合部が嵌め込まれ、該１係合部の係止爪が該第２係合部の先端に係止するものである特徴とする請求項１〜３のいずれか１項に記載の排水トレー構造体の部品。
【請求項５】
前記天板部の裏面の縁部寄りには、周方向に所定のピッチで複数の隙間形成用の板状の突起部を立設したことを特徴とする請求項１〜４のいずれか１項に記載の排水トレー構造体の部品。
【請求項６】
前記第２係合部の周面には、周方向に所定のピッチで複数の隙間形成用の羽根を設けたことを特徴とする請求項１〜５のいずれか１項に記載の排水トレー構造体の部品。
【請求項７】
請求項１〜６のいずれか１項に記載の排水トレー構造体の部品を、排水トレー本体部の最深部に設けた組込み穴に取り付けたものであって、前記キャップ部材が該排水トレー本体部の上部に、前記受け皿部材が該排水トレー本体部の下部に、それぞれ位置し、且つ該キャップ部材と該受け皿部材が嵌合して、該排水トレー本体部に対して、一体的に回動自在であることを特徴とする排水トレー構造体。
【請求項８】
前記排水トレー本体部には、前記組込み穴を設置面から所定の高さに保持するための脚部を設けたことを特徴とする請求項７記載の排水トレー構造体。
【考案の詳細な説明】
【技術分野】
【０００１】
本考案は、シンクの横に設置した食器洗い乾燥カゴの下にセットされ、洗った食器から落ちる水滴をシンクに導き、シンク台を濡らさないようにする排水トレー構造体の部品及び排水トレー構造体に関するものである。
【背景技術】
【０００２】
シンクの横に設置した食器洗い乾燥カゴに置かれた食器からは水滴が落ちるため、シンク台を濡らしてしまう。このようなシンク台の濡れ対策としては、食器洗い乾燥カゴを排水トレーの中に設置し、トレーの中に水滴を溜め、随時食器洗い乾燥カゴを取り外して、排水トレー中の水をシンクに排出する方法、あるいは排水トレーの最深部に形成された開口部に接続したホースから自動的に水滴をシンクに導く方法等が挙げられる。
【考案の開示】
【考案が解決しようとする課題】
【０００３】
しかしながら、トレーの中に水滴を溜めてからシンクに水を排出する方法は、トレーから食器洗い乾燥カゴを取り外す必要があり、単純に持ち上げる動作であっても面倒なことである。また、トレーの最深部に形成された開口部に接続したホースから自動的に水滴をシンクに導く方法は、便利ではあるものの、シンク位置に対するホースの先端（開口）が概ね固定されるため、ホース先端からシンクまでの距離や位置が異なる場合には、ホースを曲げる必要があり、ホースを曲げる際、曲げようとしたホースが元に復元したり、曲げにより流路を塞いでしまうなど不都合な点があった。
【０００４】
従って、本考案の目的は、排水トレーに落ちた水を自動的にシンクに導くと共に、ホースからシンクまでの距離や位置が異なっても、せいぜいホースの長さの調整をするのみで対応可能な排水トレー構造体の部品及び排水トレー構造体を提供することにある。
【課題を解決するための手段】
【０００５】
すなわち、本考案は、上記課題を解決したものであって、上に凸の緩やかな球面形状の天面を有する天板部と、該天板部の裏面中央から下方に延びる円筒状の第１係合部を備えるキャップ部材と、深さの浅い受け皿状の本体部と、該本体部の中央から上方に延びる該第１係合部と嵌合する円筒状の第２係合部と、該本体部の側部に形成される排水口と連続するホース接続部とを備える受け皿部材と、を有することを特徴とする排水トレー構造体の部品を提供するものである。
【０００６】
また、本考案は、前記第１係合部は、鉛直方向の切り欠きにより、少なくとも２つの係止片を有する構造としたことを特徴とする前記排水トレー構造体の部品を提供するものである。
【０００７】
また、本考案は、前記係止片の先端部には、外側に屈曲する係止爪を設けたことを特徴とする前記排水トレー構造体の部品を提供するものである。
【０００８】
また、本考案は、前記第２係合部の中空部に前記第１係合部が嵌め込まれ、該１係合部の係止爪が該第２係合部の先端に係止するものである特徴とする前記排水トレー構造体の部品を提供するものである。
【０００９】
また、本考案は、前記天板部の裏面の縁部寄りには、周方向に所定のピッチで複数の隙間形成用の板状の突起部を立設したことを特徴とする前記排水トレー構造体の部品を提供するものである。
【００１０】
また、本考案は、前記第２係合部の周面には、周方向に所定のピッチで複数の隙間形成用の羽根を設けたことを特徴とする前記排水トレー構造体の部品を提供するものである。
【００１１】
また、本考案は、前記排水トレー構造体の部品を、排水トレー本体部の最深部に設けた組込み穴に取り付けたものであって、前記キャップ部材が該排水トレー本体部の上部に、前記受け皿部材が該排水トレー本体部の下部に、それぞれ位置し、且つ該キャップ部材と該受け皿部材が嵌合して、該排水トレー本体部に対して、一体的に回動自在であることを特徴とする排水トレー構造体を提供するものである。
【００１２】
また、本考案は、前記排水トレー本体部には、前記組込み穴を設置面から所定の高さに保持するための脚部を設けたことを特徴とする前記排水トレー構造体を提供するものである。
【考案の効果】
【００１３】
本考案の排水トレー構造体によれば、部品であるキャップ部材と受け皿部材で排水トレー本体部を挟む構造であり、且つキャップ部材と受け皿部材の嵌合体は排水トレー本体部に対して回動自在であるため、ホースからシンクまでの位置が異なっても、ホースを回して最適な位置に設置して使用できる。また、ホースからシンクまでの距離が異なっても、長さの異なるホースに交換するのみで対応できる。また、本考案の排水トレー構造体の部品は、排水トレーに組み込まれて本考案の排水トレー構造体を構成するため、中間部品として有用である。
【考案を実施するための最良の形態】
【００１４】
次に、本考案の実施の形態における排水トレー構造体の部品及び排水トレー構造体を図１〜図８を参照して説明する。図１は本例の排水トレー構造体の部品の分解斜視図、図２は本例の排水トレー構造体の分解斜視図、図３は図２の排水トレー構造体の裏から見た分解斜視図、図４は図２の側面図、図５は図４の排水トレー構造体の横断面図、図６は本例の排水トレー構造体の斜視図、図７は図６の排水トレー構造体の裏から見た斜視図、図８は本例の排水トレー構造体の使用状態図をそれぞれ示す。なお、図４ではホースの記載を省略した。本明細書中、「上方」及び「下方」は排水トレー構造体の使用状態における位置又は方向を言う。
【００１５】
排水トレー構造体の部品１０は、キャップ部材１、受け皿部材２及びホース３とからなり、排水トレーに組み込まれるものである。そして、排水トレー構造体２０はキャップ部材１、受け皿部材２、排水トレー４及びホース３とからなる。
【００１６】
キャップ部材１は、上に凸の緩やかな球面形状の天面を有する天板部１１と、天板部１１の裏面中央から下方に延びる円筒状の第１係合部１２を備える。キャップ部材１は、受け皿部材２と嵌合した後は、排水トレー４に対して回動自在である。また、キャップ部材１は、排水トレー４の上方に位置して、排水トレー４の組込み穴４４を塞ぐと共に、水滴の流れる隙間を確保する。
【００１７】
キャップ部材１において、天板部１１の裏面の縁部寄りには、周方向に所定のピッチで複数、本例では６つの隙間形成用の板状の突起部１３を立設している。これにより、キャップ部材１を排水トレー４に取り付けた際、突起部１３の下端が排水トレー４の表面に当接するため、隣接する突起部１３間に水滴あるいは水が流れる隙間が形成される。
【００１８】
キャップ部材１において、第１係合部１２は、係合における雄部であり、鉛直方向の４つの切り欠き１４により、２つの脚の長い係止片１５と、２つの脚の短い係止片１６を有する構造としている。これにより、２つの脚の長い係止片１５はバネ部材となり、第２係合部２２の穴（中空部）に嵌め易くなり、また強い嵌合が得られる。また、２つの脚の短い係止片１６により、第１係合物１２を第２係合部２２の穴に嵌め込む際、引っ掛かりなどがなくなる。
【００１９】
キャップ部材１において、２つの脚の長い係止片１５の先端部には、外側に屈曲する係止爪１７を設けている。これにより、第２係合部２２の中空部に第１係合部１２が嵌め込まれると、第１係合部１２の係止爪１７が第２係合部２２の先端に係止するため、キャップ部材１と受け皿部材２は強く組み付けられる。キャップ部材１と受け皿部材２の組み付け強度は、排水トレー４に組み付けられた際、ホース３を回動させても外れない強さである。
【００２０】
受け皿部材２は、深さの浅い受け皿状の本体部２１と、本体部２１の中央から上方に延びる第１係合部１２と嵌合する円筒状の第２係合部２２と、本体部２１の側部に形成される排水口２５と連続するホース接続部２７とを備える。受け皿部材２は、キャップ部材１と嵌合した後は、排水トレー４に対して回動自在である。
【００２１】
受け皿部材２において、第２係合部２２は、係合における雌部であり、雄部材である第１係合部１２が嵌り込む中空穴２４を有する。また、第２係合部２２の円筒形状の周面には、周方向に所定のピッチで複数、本例では５つの隙間形成用の羽根２３を設けている。羽根２３は板状物であり、その径方向の先端で形成される外径は、排水トレー４の組込み穴４４の内径より僅かに小さい。これにより、受け皿部材２は排水トレー４に緩く嵌合するため、排水トレー４に組み付けられた際、ホース３を手で回動させると、受け皿部材２、すなわち、排水トレー構造体の部品１０は円滑に回動する。また、隣接する突起部２３間に水滴あるいは水が流れる隙間が形成される。
【００２２】
受け皿部材２において、本体部２１の底部には、開口２５に通じる凹溝２６が形成されている。これにより、水滴あるいは水が円滑に開口２５に流れる。ホース接続部２７は、略円筒形状の中空の突起部であり、本体部２１の側部に形成されている。また、開口２５と突起部２７の中空部とが繋がっており、水滴あるいは水の水道を形成している。
【００２３】
次に、排水トレー構造体２０について説明する。排水トレー構造体２０は、排水トレー構造体の部品１０を、排水トレー本体部４１の最深部に設けた貫通状の組込み穴４４に取り付けたものである。すなわち、排水トレー本体部４１を挟んで、キャップ部材１を上方に、受け皿部材２を下方にそれぞれ位置させ、キャップ部材１の第１係合部１２と受け皿部材２の第２係合部２２を嵌め込み一体化し、更にホース３を受け皿部材２のホース接続部２７に接続したものである。第１係合部１２と第２係合部２２の嵌め込みは、互いを押し込めばよい。これにより、キャップ部材１と受け皿部材２の嵌合体は一体化して、排水トレー本体部４１に対して回動自在となる。なお、ホース３の長さはホース端がシンク６を臨む位置となるように適宜決定される。
【００２４】
排水トレー構造体２０において、排水トレー４は、矩形状の排水トレー本体部４１と、排水トレー本体部４１の両側端から下方に延びる板状の脚部４２を備える。脚部４２の高さは、組込み穴４４をシンク台（設置面）５から所定の高さに保持する高さである。所定の高さとは、排水トレー４をシンク台５に設置した際、受け皿部材２がシンク台５に当たらない程度の高さを言う。
【００２５】
次に、排水トレー構造体２０の使用方法について説明する。先ず、排水トレー構造体２０をシンク６の横のシンク台５に設置した食器洗い乾燥カゴ７の下にセットする。次いで、ホース３の先端をシンク６に望むようにする。これにより、食器洗い乾燥カゴ７に置かれた食器から落ちる水滴は、図５中の矢印Ｘのように流れ、自動的にシンク内に導びかれるため、シンク台を濡らさない。また、例えば図８のシンク台５が奥行きが狭く、横方向に長い場合、排水トレー構造体２０を横置きとし、ホース３を回動させて、ホース３の先端を所望の位置にセットすることができる。このような排水トレー構造体２０によれば、部品であるキャップ部材１と受け皿部材２で排水トレー本体部４１を挟む構造であり、且つキャップ部材１と受け皿部材２の嵌合体は排水トレー本体部４１に対して回動自在であるため、ホース３からシンク６までの位置が異なっても、ホース３を回して最適な位置に設置して使用できる。また、ホース３からシンク６までの距離が異なっても、長さの異なるホースに交換するのみで対応できる。
【００２６】
本考案の排水トレー構造体の部品及び排水トレー構造体は上記形態に限定されず、種々の変形例を採ることができる。キャップ部材１の第１係合部１２は、上記２つの係止片構造に限定されず、例えば単なる円筒形状であってもよい。また、キャップ部材１の板状の突起部１３は、これに限定されず、板状以外の形状の突起であってもよい。また、突起部の設置数も特に制限されない。また、受け皿部２の羽根２３の設置数は５つに限定されず、３つ〜４つ、あるいは６つ以上であってもよい。また、排水トレー４の外観形状などは特に限定されない。また、排水トレー４の組込み穴も最深部であれば、中心位置に限定されない。
【図面の簡単な説明】
【００２７】
【図１】本実施の形態例の排水トレー構造体の部品の分解斜視図である。
【図２】本例の排水トレー構造体の分解斜視図である。
【図３】図２の排水トレー構造体の裏から見た分解斜視図である。
【図４】図２の側面図である。
【図５】図４の排水トレー構造体の横断面図である。
【図６】本例の排水トレー構造体の斜視図である。
【図７】図６の排水トレー構造体の裏から見た斜視図である。
【図８】本例の排水トレー構造体の使用状態図である。
【符号の説明】
【００２８】
１        キャップ部材
２        受け皿部材
３        ホース
４        排水トレー
５        シンク台
６        シンク
１０      排水トレー構造体の部品
１１      天板部
１２      第１係合部
１３      突起部
１５      脚の長い係止片
１６      脚の短い係止片
１７      係止爪
２０      排水トレー構造体
２２      第２係合部
２５      排水口
２７      ホース接続部
４４      組込み穴
【図１】
0003144020.tif 000003
【図２】
0003144020.tif 000004
【図３】
0003144020.tif 000005
【図４】
0003144020.tif 000006
【図５】
0003144020.tif 000007
【図６】
0003144020.tif 000008
【図７】
0003144020.tif 000009
【図８】
0003144020.tif 000010